(57)【要約】【課題】操作部を操作して水廻り装置に備えた機能部を動作させるに当って、操作部の位置が見易い。機能部を動作させた際に機能部の状態確認が正確に目視できる。省エネを図る。【解決手段】本発明は、機能部２と、該機能部２を動作させるための操作部３を備えた水周り装置である。操作部３又は操作部３付近を照らす第１発光手段４と、操作部３を操作した際に機能部２又は機能部２付近を照らす第２発光手段５と、水廻り装置１に近づいた人を検知する人体検知センサ６と、制御部７とを設ける。制御部７により、人体検知センサ６で人体を検知しない時は第１、第２発光手段４、５を消灯し、且つ、人体検知センサ６で人体を検知した時は第１発光手段４を点灯し、且つ、操作部３を操作して機能部２を動作させた時は第２発光手段５を消灯するように制御する。【選択図】        図１
2011067453.tif 000002
【特許請求の範囲】
【請求項１】
機能部と、該機能部を動作させるための操作部を備えた水廻り装置において、操作部又は操作部付近を照らす第１発光手段と、操作部を操作した際に機能部又は機能部付近を照らす第２発光手段と、水廻り装置に近づいた人を検知する人体検知センサとを設け、人体検知センサで人体を検知しない時は第１、第２発光手段を消灯し、且つ、人体検知センサで人体を検知した時は第１発光手段を点灯し、且つ、操作部を操作して機能部を動作させた時は第２発光手段を点灯するように制御する制御部を設けて成る発光手段付水廻り装置
。
【請求項２】
水廻り装置が厨房装置であり、機能部が厨房装置に備えたカランであり、操作部がカランから水の吐出を操作するカラン操作部であることを特徴とする請求項１記載の発光手段付水廻り装置。
【請求項３】
水廻り装置が厨房装置であり、機能部が厨房装置に備えたコンロであり、操作部がコンロを操作するコンロ操作部であることを特徴とする請求項１又は請求項２記載の発光手段付水廻り装置。
【請求項４】
水廻り装置が厨房装置であり、機能部が厨房装置に備えた物品収納部であり、操作部が物品収納部を開閉操作するための収納部開閉用操作部であることを特徴とする請求項１乃至請求項３のいずれか一項に記載の発光手段付水廻り装置。
【請求項５】
水廻り装置が洗面台であり、機能部が洗面台に備えたカランであり、操作部がカランからの水の吐出を操作するカラン操作部であることを特徴とする請求項１記載の発光手段付水廻り装置。
【発明の詳細な説明】
【技術分野】
【０００１】
本発明は、発光手段を備えた厨房装置、発光手段を備えた洗面台等の発光手段付水廻り装置に関するものである。
【背景技術】
【０００２】
従来から、厨房装置や洗面台に、混合水栓と、該混合水栓を操作して湯及び水の流量を調整する操作部と、混合水栓を使用する使用者の人体を検知する人体検知センサとを備え、人体検知センサによる人体の検知に基づいて、操作部の湯側及び水側をそれぞれ異なる色の光で表示するＬＥＤを備えたものが特許文献１により知られている。
【０００３】
この従来例は、混合水栓を使用する使用者の人体を人体検知センサで検知することで、操作部の湯側及び水側をそれぞれ異なる色の光で表示するので、暗いときでも混合水栓の操作部における湯及び水の表示が見易く、操作部の操作がし易いようになっている。
【０００４】
しかし、上記従来例にあっては、操作部における湯及び水の表示を見易くして操作部の操作をし易くしただけのもので、操作部を操作した場合、混合水栓の吐出口から吐出される湯水の吐出状態や、湯水が吐出されるボウル部を自動的に照らすようになっていない。
【０００５】
したがって、薄暗い時は、混合水栓の吐出口から吐出される湯水の吐出状態、洗面ボウルの状態が見え難く、洗顔や手洗い等がし難いという問題があり、このような時は、混合水栓の操作部の操作とは別に、室内に設けた照明器具や洗面台に付設した照明器具を点灯して室内を明るくする必要がある。
【０００６】
また、夜間、寝ている途中で、半覚醒状態のままトイレに行き、その後、手洗いをする場合、上記のように室内に設けた照明器具や洗面台に付設した照明器具を点灯して室内を明るくすると、覚醒状態になり、なかなか寝付き難くなってしまうという問題がある。
【先行技術文献】
【特許文献】
【０００７】
【特許文献１】特開２００７−３０８８７７号公報
【発明の概要】
【発明が解決しようとする課題】
【０００８】
本発明は上記の従来例の問題点に鑑みて発明したもので、その目的とするところは、操作部を操作して水廻り装置に備えた機能部を動作させるに当って、操作部の位置が視認しやすく、機能部を動作させた際に、機能部の状態確認が正確に目視でき、また、省エネを図ることができる発光手段付水廻り装置を提供することにある。
【課題を解決するための手段】
【０００９】
上記課題を解決するために、本発明は、以下のような構成になっている。
【００１０】
本発明は、機能部２と、該機能部２を動作させるための操作部３を備えた水廻り装置１である。本発明の特徴は、操作部３又は操作部３付近を照らす第１発光手段４と、操作部３を操作した際に機能部２又は機能部２付近を照らす第２発光手段５と、水廻り装置１に近づいた人を検知する人体検知センサ６と、制御部７とを設け、上記制御部７により、人体検知センサ６で人体を検知しない時は第１、第２発光手段４、５を消灯し、且つ、人体検知センサ６で人体を検知した時は第１発光手段４を点灯し、且つ、操作部３を操作して機能部２を動作させた時は第２発光手段５を点灯するように制御することにある。
【００１１】
このような構成とすることで、水廻り装置１に人が近づいたことを人体検知センサ６で検知すると、第１発光手段４を点灯して発光させる。これにより操作部３又は操作部３の付近を照らし、暗くても操作部３の位置が直ぐ視認でき、機能部２を動作させるための操作部３の操作が確実且つ容易に行える。そして、操作部３を操作して機能部２を動作させると機能部２又は機能部２付近が照らされることで、暗い中でも機能部２を動作させた際の状態確認が正確にできる。一方、機能部２を動作させる目的がなく水廻り装置１の近くに人がいる場合、あるいは、水廻り装置１の近くを単に人が通過するだけの場合は、人体検知センサ６で人を検知しても、第１発光手段４が点灯するのみで、第２発光手段５は消灯であり、また、人体検知センサ６で人を検知しない時は、第１発光手段４、第２発光手段５を消灯するので、省エネを図ることができる。
【００１２】
また、水廻り装置１が厨房装置１ａであり、機能部２が厨房装置１ａに備えたカラン２ａであり、操作部３がカラン２ａから水の吐出を操作するカラン操作部３ａであることが好ましい。
【００１３】
このような構成とすることで、厨房装置１ａに近づいて、カラン２ａを操作して吐水することでコップに水を汲んだり、水洗いをしようとする場合、第１発光手段４でカラン操作部３ａ又はカラン操作部３ａ付近が照らされるので、カラン操作部３ａを確実に視認して操作することができ、カラン操作部３ａを操作してカラン２ａから吐水すると、第２発光手段５が点灯してカラン２ａ又はカラン２ａ付近を照らすことで、吐水状態やシンク８内が照らされて、暗くてもコンプに水を汲んだり、水洗いをするのが容易にできる。
【００１４】
また、水廻り装置１が厨房装置１ａであり、機能部２が厨房装置１ａに備えたコンロ２ｂであり、操作部３がコンロ２ｂを操作するコンロ操作部３ｂであることが好ましい。
【００１５】
このような構成とすることで、厨房装置１ａに近づいて、コンロ２ｂを使用しようとする場合、第１発光手段４でコンロ操作部３ｂ又はコンロ操作部３ｂ付近が照らされるので、コンロ操作部３ｂを確実に視認して操作することができ、コンロ操作部３ｂを操作してコンロ２ｂの発熱体１４を発熱させる動作をすると、第２発光手段５が点灯してコンロ２ｂ又はコンロ２ｂ付近を照らすことで、暗い環境下であってもコンロ２ｂ部分が明るく、加熱調理状態がはっきり視認できて、加熱調理が容易に行える。
【００１６】
また、水廻り装置１が厨房装置１ａであり、機能部２が厨房装置１ａに備えた物品収納部２ｃであり、操作部３が物品収納部２ｃを開閉操作するための収納部開閉用操作部３ｃであることが好ましい。
【００１７】
このような構成とすることで、厨房装置１ａに近づいて、厨房装置１ａに備わる物品収納部２ｃに物品の出し入れをしようとする場合、第１発光手段４で収納部開閉用操作部３ｃ又は収納部開閉用操作部３ｃ付近が照らされるので、収納部開閉用操作部３ｃを確実に視認して物品収納部２ｃの開閉操作をすることができ、収納部開閉用操作部３ｃを操作して物品収納部２ｃを開く動作をすると、第２発光手段５が点灯して物品収納部２ｃ又は物品収納部２ｃ付近を照らすことで、物品収納部２ｃの内部がよく見えて収納物の出し入れが容易に行える。
【００１８】
また、水廻り装置１が洗面台１ｂであり、機能部２が洗面台１ｂに備えたカラン２ａであり、操作部３がカラン２ａからの水の吐出を操作するカラン操作部３ａであることが好ましい。
【００１９】
このような構成とすることで、洗面台１ｂに近づいて、カラン２ａを操作して吐水することで手を洗ったり、洗顔しようとする場合、第１発光手段４でカラン操作部３ａ又はカラン操作部３ａ付近が照らされるので、カラン操作部３ａを確実に視認して操作することができ、カラン操作部３ａを操作してカラン２ａから吐水すると、第２発光手段５が点灯してカラン２ａ又はカラン２ａ付近を照らすことで、吐水状態や洗面ボウル９内が照らされて、暗くても手洗いや洗顔が容易にできる。
【発明の効果】
【００２０】
本発明は、上記のように構成したので、水廻り装置に近づくことで、操作部又は操作部付近が照らされて暗くても操作部の位置を正確に視認できる。しかも、操作部を操作して水廻り装置に備えた機能部を動作させる場合は、上記のように視認しやすく照らされた操作部を手で操作することで、簡単且つ確実に操作部の操作ができる。また、操作部を操作して機能部を動作させると第２発光手段で機能部の状態確認が正確に目視でき、機能部を正しく使うことができる。また、機能部を動作させる目的がなく水廻り装置の近くに人がいる場合、あるいは、水廻り装置の近くを単に人が通過するだけの場合は、第１発光手段が点灯するのみで、第２発光手段は消灯であり、また、人体検知センサで人を検知しない時は、第１発光手段、第２発光手段が消灯するので、省エネを図ることができる。
【図面の簡単な説明】
【００２１】
【図１】本発明の一実施形態を示し、（ａ）は人体検知センサで人を検知しない状態の斜視図であり、（ｂ）は人体検知センサで人を検知した状態の斜視図である。
【図２】（ａ）はカラン操作部を操作してカランから吐水すると共にカランに対応した第２発光手段を点灯している状態を示す斜視図であり、（ｂ）はコンロ操作部を操作してコンロを動作させると共にコンロに対応した第２発光手段を点灯している状態を示す斜視図であり、（ｃ）は収納部開閉用操作部を操作して物品収納部としての引出しを引き出すと共に物品収納部に対応した第２発光手段を点灯している状態を示す斜視図である。
【図３】同上の制御ブロック図である。
【図４】同上のフローチャートである。
【図５】本発明の他の実施形態を示し、（ａ）は人体検知センサで人を検知しない状態の斜視図であり、（ｂ）は人体検知センサで人を検知した状態の斜視図であり、（ｃ）はカラン操作部を操作してカランから吐水すると共にカランに対応した第２発光手段を点灯している状態を示す斜視図である。
【図６】同上の制御ブロック図である。
【図７】同上のフローチャートである。
【発明を実施するための形態】
【００２２】
以下、本発明を添付図面に示す実施形態に基づいて説明する。
【００２３】
本発明における水廻り装置１とは、建物における水廻り箇所である台所に設置される厨房装置１ａ、洗面室に設置される洗面台１ｂである。
【００２４】
該水廻り装置１には、機能部２と、該機能部２を動作させるための操作部３と、操作部３又は操作部３付近を照らす第１発光手段４と、操作部３を操作した際に機能部２又は機能部２付近を照らす第２発光手段５と、水廻り装置１に近づいた人を検知する人体検知センサ６と、制御部７とを備えている。
【００２５】
図１、図２には水廻り装置１として厨房装置１ａの例を示している。厨房装置１ａは、コンロ２ｂ、シンク８を備えた調理台１０により主体が構成してある。調理台１０は、調理台キャビネット１１と、調理台キャビネット１１の上面部に設置されるカウンター１２とを備えている。
【００２６】
また、図１にはキッチンとダイニングとを仕切る対面式厨房装置１ａの例が示してあって、調理台１０の奥側に仕切りとして機能する立ち上がり部１５が立設してあり、該立ち上がり部１５には図示を省略しているが、物品収納部２ｃや、排気装置や、食器乾燥機、食器洗浄機、あるいは、電子レンジ、オーブン、トースタ等の加熱調理機器等の電気機器を配設してある。立ち上がり部１５に物品収納部２ｃを設ける場合、キッチン側あるいはダイニング側のいずれに開口するものであってもよい。
【００２７】
カウンター１２には一側部にシンク８を設け、他側部にコンロ２ｂを設けていて、両者の中間部に調理面部１３を設けている。
【００２８】
カウンター１２の一側部のシンク８に奥側又は側方にカラン２ａを設けている。該カラン２ａにはカラン操作部３ａを設けてあり、カラン操作部３ａを操作することで、カラン２ａの先端の吐出口から湯又は水（以下単に水という）を吐水したり、吐水停止をしたり、あるいは湯水の混合割合を調整したりするようになっている。
【００２９】
カウンター１２の他端部のコンロ２ｂよりも手前側の前面又は上面にはコンロ操作部３ｂが設けてあり、該コンロ操作部３ｂを操作することでコンロ２ｂに設けた発熱体１４を発熱させたり、発熱停止させたり、あるいは発熱熱量を調整したりするようになっている。発熱体１４としては、電磁誘導発熱体やその他の電気を用いた発熱体等の電気発熱体、ガスバーナのような燃焼式発熱体よりなり、また、本発明におけるコンロ２ｂに備える発熱体としてはコンロ２ｂに設けた加熱庫を加熱する発熱体も含まれる。
【００３０】
また、調理台キャビネット１１には物品収納部２ｃとしての引出しが設けてあり、引出しの前板前面には収納部開閉用操作部３ｃとしての把手が設けてある。
【００３１】
ここで、本実施形態では、上記カラン２ａ、コンロ２ｂ、物品収納部２ｃがそれぞれ厨房装置１ａに備えた機能部２を構成している。
【００３２】
また、上記カラン操作部３ａ、コンロ操作部３ｂ、収納部開閉用操作部３ｃがそれぞれ厨房装置１ａに備えた機能部２を操作するための操作部３を構成している。
【００３３】
上記カラン操作部３ａ、コンロ操作部３ｂ、収納部開閉用操作部３ｃにそれぞれ個別に対応して第１発光手段４が設けてあり、第１発光手段４でそれぞれカラン操作部３ａ又はカラン操作部３ａ付近、コンロ操作部３ｂ又はコンロ操作部３ｂ付近、収納部開閉用操作部３ｃ又は収納部開閉用操作部３ｃをそれぞれ個別に照らすようになっている。
【００３４】
図１、図２に示す実施形態では、カラン操作部３ａ、コンロ操作部３ｂ、収納部開閉用操作部３ｃにそれぞれ個別に第１発光手段４を設け、第１発光手段４を点灯することで、カラン操作部３ａの全部または一部、コンロ操作部３ｂの全部または一部、収納部開閉用操作部３ｃの全部または一部を発光させて照らすようになっている。この場合、第１発光手段４としてはＬＥＤを用いてカラン操作部３ａ、コンロ操作部３ｂ、収納部開閉用操作部３ｃに装備することで、簡単な構成でカラン操作部３ａ、コンロ操作部３ｂ、収納部開閉用操作部３ｃの全部又は一部を発光させることができる。
【００３５】
また、上記カラン２ａ、コンロ２ｂ、物品収納部２ｃにそれぞれ個別に対応して第２発光手段５を設け、第２発光手段５でそれぞれカラン２ａ又はカラン２ａ付近、コンロ２ｂ又はコンロ２ｂ付近、物品収納部２ｃ又は物品収納部２ｃ付近をそれぞれ個別に照らすようになっている。
【００３６】
図１、図２に示す実施形態では、調理台１０の背方の立ち上がり部１５のカラン２ａの背方に対応した部位、及び、立ち上がり部１５のコンロ２ｂと対応した部位にそれぞれカラン２ａ又はカラン２ａ付近を照らすための第２発光手段５、及び、コンロ２ｂ又はコンロ２ｂ付近を照らすための第２発光手段５が設けてある。
【００３７】
また、調理台キャビネット１１における引出しの出し入れ用開口部付近に第２発光手段５が設けてあり、引出しを引き出した際に引きだし２内を照らすことができるようになっている。
【００３８】
また、厨房装置１ａには厨房装置１ａに近づいた人を検知する人体検知センサ６が設けてあり、図１、図２の実施形態では調理台１０の前方の所定の領域内に人が検知すると人体検知センサ６で検知するようになっている。
【００３９】
図３には本実施形態の制御ブロック図が示してあり、また、図４には制御フロー図が示してある。
【００４０】
図１（ａ）は人体検知センサ６で人を検知していない場合で、全ての第１発光手段４が消灯している。また、全ての第２発光手段４も消灯している。
【００４１】
ここで、調理台１０の前方の所定の領域内に人が位置し、厨房装置１ａの人体検知センサ６で人体を検知して該検知信号が制御部７に入力されると、全ての第１発光手段４が点灯するように制御部７により制御され、図１（ｂ）のように、カラン操作部３ａ、コンロ操作部３ｂ、収納部開閉用操作部３ｃ自体又はその付近を照らされる。これにより、暗い環境下でもカラン操作部３ａ、コンロ操作部３ｂ、収納部開閉用操作部３ｃをはっきり視認できる。
【００４２】
したがって、カラン操作部３ａ、コンロ操作部３ｂ、収納部開閉用操作部３ｃを操作する場合、操作位置がはっきりと分かり、誤操作することなく、正確に操作することができる。
【００４３】
ここで、カラン２ａを使用しようとする場合、上記のようにカラン操作部３ａ自体又は周囲が照らされて明るくなっているので、この明るくなって視認し易い状態のカラン操作部３ａを手で掴んで操作する。カラン操作部３ａを操作してカラン２ａから吐水を開始するとカラン２ａに設けた吐水検知手段１７ａにより吐水開始を検知し、該吐水開始信号を制御部７に入力し、これに基づきカラン２ａに対応した第２発光手段４を点灯するように制御部７により制御し、図２（ａ）のように、カラン２ａ又はカラン２ａ付近を照らしてこの部分を明るくする。したがって、カラン２ａ、カラン２ａからの吐水状態、カラン２ａが吐水されるシンク８内がはっきり視認でき、コップに水を汲んだり、水洗いをするのが容易にできる。
【００４４】
一方、カラン操作部３ａを操作して吐水を停止すると、吐水検知手段１７ａにより吐水停止を検知し、該吐水停止信号を制御部７に入力し、これに基づきカラン２ａに対応した第２発光手段４を制御部７により消灯し、図１（ｂ）の状態となる。
【００４５】
また、コンロ２ｂを使用しようとする場合、上記のようにコンロ操作部３ｂ自体又は周囲が照らされて明るくなっているので、この明るくなって視認し易い状態のコンロ操作部３ｂを手で掴んで操作する。このようにコンロ操作部３ｂを操作してコンロ２ｂの発熱体１４をオンして加熱調理を行うのであるが、コンロ操作部３ｂによる発熱体１４のオン操作、又は、コンロ操作部３ｂが調理台１０の前面上部から出し入れ自在となっている場合、コンロ操作部３ｂを手前に引き出し又は回動して出した動作をコンロ動作検知手段１７ｂにより検知し、これを制御部７に入力し、これに基づきコンロ２ｂに対応した第２発光手段４を点灯するように制御部７により制御し、図２（ｂ）のように、コンロ２ｂ又はコンロ２ｂ付近を照らしてこの部分を明るくする。したがって、発熱体１４を利用しての加熱調理作業が容易にかつ安全にできる。
【００４６】
一方、コンロ操作部３ｂによる発熱体１４のオフ操作、又は、コンロ操作部３ｂを奥に押し込み又は回動を行うと、これをコンロ動作検知手段１７ｂで検知して制御部７に入力し、これに基づきコンロ２ｂに対応した第２発光手段４を制御部７により消灯し、図１（ｂ）の状態となる。
【００４７】
また、調理台キャビネット１１の引出しに物品の出し入れを行う場合、上記のように収納部開閉用操作部３ｃ自体又は周囲が照らされて明るくなっているので、この明るくなって視認し易い状態の収納部開閉用操作部３ｃを手で掴んで引出しを引き出すと、開閉検知手段１７ｃにより引出しが手前に引き出されたことを検知し、この検知信号が制御部７に入力し、これに基づき、引出しに対応した第２発光手段５が点灯するように制御部７により制御し、図２（ｃ）のように、引き出し出された引出し内を明るく照らす。したがって、引出し内への物品の出し入れ、引出し内における物品の整理収納を容易に行うことができる。
【００４８】
一方、引出しを押し込んで調理台キャビネット１１内に収納すると、開閉検知手段１７ｃでこれを検知し、制御部７に入力し、これに基づき引出しに対応した第２発光手段４を制御部７により消灯し、図１（ｂ）の状態となる。
【００４９】
また、人が、調理台１０の前方の所定の領域内から離れ、人体検知センサ６で人を検知しない場合は、制御部７により各第１発光手段４を消灯するように制御し、図１（ａ）の状態となる。
【００５０】
したがって、調理台１０の前の所定領域内に人がいない場合は、人体検知センサ６で人を検知せず、第１発光手段４、第２発光手段５が消灯となるので、省エネを図ることができる。また、調理台１０の前方の所定の領域内を単に人が通過するだけの場合は、人体検知センサ６で人を検知しても、第１発光手段４が点灯するのみで、第２発光手段５は消灯であるので、この点でも省エネを図ることができる。
【００５１】
上記例においては、厨房装置１ａとして調理台１０の背方の立ち上がり部１５に第２発光手段５を設けた例を示したが、厨房装置１ａに吊戸棚が設けてある場合は、吊戸棚の下面側のカラン２ａに対応する部位、コンロ２ｂに対応する部位に第２発光手段５を設けても良い。
【００５２】
また、カウンター１２のカラン２ａの周囲又はカラン２ａに隣接した部位、コンロ２ｂの周囲又はコンロ２ｂに沿って隣接した部位が発光するようにそれぞれ第２発光手段５を設けてもよい。
【００５３】
更に、コンロ２ｂの表面部分を構成するコンロ天板の一部が発光するように第２発光手段５を設けてもよい。
【００５４】
また、物品収納部２ｃとして上記例では調理台キャビネット１１の引出しの例を示したが、調理台キャビネット１１に設けた引き出し自在な食器洗浄器が物品収納部２ｃであってもよい。
【００５５】
また、物品収納部２ｃとして立ち上がり部１５や吊戸棚に設けた収納部であってもよい。この場合、収納部の前開口に開閉自在な扉を設けるものであり、扉の把手が収納部開閉用操作部３ｃを構成し、扉の開を開閉検知手段１７ｃで検知することで第２発光手段５が点灯して収納部内を照らすように制御し、扉の閉を開閉検知手段１７ｃで検知することで、第２発光手段５を消灯するように制御する。
【００５６】
次に、図５乃至図７に基づいて本発明の他の実施形態を説明する。本実施形態においては、水廻り装置１として洗面台１ｂの例を示している。洗面台１ｂは、洗面台キャビネット２０上に洗面ボウル９を設け、更に、洗面台キャビネット２０のバックガード２１の上にミラーキャビネット２２を配設して洗面台１ｂが構成してある。
【００５７】
洗面台１ｂにはカラン２ａが設けてある。図５に示す実施形態においては、バックガード２１の前面又はミラーキャビネット２２の下面にカラン２ａが設けてある。洗面台１ｂの上記カラン２ａを設けた部分の横方向に隣接して人体検知センサ６とカラン操作部３ａが設けてある。
【００５８】
ここで、本実施形態では、上記カラン２ａが洗面台１ｂに備えた機能部２を構成し，上記カラン操作部３ａが洗面台１ｂに備えた機能部２を操作するための操作部３を構成している。
【００５９】
上記カラン操作部３ａに対応して第１発光手段４が設けてあり、第１発光手段４でそれぞれカラン操作部３ａ又はカラン操作部３ａ付近を照らすようになっている。
【００６０】
この実施形態では、カラン操作部３ａに第１発光手段４を設け、第１発光手段４を点灯させることで、図５（ｂ）のようにカラン操作部３ａの全部または一部を発光させることができる。
【００６１】
また、上記カラン２ａに対応してミラーキャビネット２２の下面部又はバックガード２１に第２発光手段５を設け、図５（ｃ）のように第２発光手段５でカラン２ａ又はカラン２ａ付近を照らすようになっている。
【００６２】
図６には本実施形態の制御ブロック図が示してあり、また、図７には制御フロー図が示してある。
【００６３】
洗面台１ｂの前方の所定の領域内に人がいない場合は、第１発光手段４は消灯している。また、第２発光手段５も消灯している。この状態が図５（ａ）の状態である。
【００６４】
ここで、洗面台１ｂの前方の所定の領域内に人が位置し、人体検知センサ６で人体を検知して該検知信号が制御部７に入力されると、第１発光手段４が点灯するように制御部７により制御され、図５（ｂ）のように、カラン操作部３ａ自体又はその付近を照らされる。これにより、暗い環境下でも洗面台１ｂのカラン操作部３ａをはっきり視認できる。
【００６５】
したがって、カラン操作部３ａ、コンロ操作部３ｂ、収納部開閉用操作部３ｃを操作する場合、操作位置がはっきりと分かり、誤操作することなく、正確に操作することができる。
【００６６】
ここで、カラン２ａを使用しようとする場合、上記のようにカラン操作部３ａ自体又は周囲が照らされて明るくなっているので、この明るくなって視認し易い状態のカラン操作部３ａを手で掴んで操作する。カラン操作部３ａを操作してカラン２ａから吐水を開始するとカラン２ａに設けた吐水検知手段１７ａにより吐水開始を検知し、該吐水開始信号を制御部７に入力し、これに基づきカラン２ａに対応した第２発光手段４を点灯するように制御部７により制御し、図５（ｃ）のように、カラン２ａ又はカラン２ａ付近を照らしてこの部分を明るくする。したがって、カラン２ａ、カラン２ａからの吐水状態、カラン２ａが吐水される洗面ボウル９内がはっきり視認でき、コップに水を汲んだり、水洗いをするのが容易にできる。
【００６７】
一方、カラン操作部３ａを操作して吐水を停止すると、吐水検知手段１７ａにより吐水停止を検知し、該吐水停止信号を制御部７に入力し、これに基づきカラン２ａに対応した第２発光手段４を制御部７により消灯する。
【００６８】
このように、本実施形態では、洗面台１ｂに近づいて、洗面台１ｂの前方の所定の領域内に位置すると、第１発光手段４でカラン操作部３ａ又はカラン操作部３ａ付近が自動的に照らされるので、カラン２ａを操作して吐水して手を洗ったり、洗顔しようとする場合、この明るく照らされたカラン操作部３ａを確実に視認して操作することができる。したがって、暗い環境下であっても、カラン操作部３ａを見誤ることなく、確実に操作できる。そして、カラン操作部３ａを操作してカラン２ａから吐水すると、第２発光手段５が点灯してカラン２ａ又はカラン２ａ付近を照らすことで、吐水状態や洗面ボウル９内が照らされて、暗くても手洗いや洗顔が容易にできる。
【００６９】
特に、本実施形態においては、夜間、半覚醒状態の使用者が洗面台１ｂで手洗いをする場合、洗面室内全体を照明器具で明るく照明するのではなく、洗面台１ｂに近づくと第１発光手段４でカラン操作部３ａ又はカラン操作部３ａ付近を照らし、カラン操作部３ａを操作すると第２発光手段４でカラン２ａ又はカラン２ａ付近を照らすことで、使用者は半覚醒状態を保ったまま、カラン操作部３ａを確実に視認して操作できると共に、カラン２ａから吐水して吐水状態を確認しながら手洗いを行うことができる。
【００７０】
また、本実施形態においても前述の実施形態と同様の理由により省エネを図ることができるのはもちろんである。
【符号の説明】
【００７１】
１  水廻り装置
１ａ  厨房装置
１ｂ  洗面台
２  機能部
２ａ  カラン
２ｂ  コンロ
２ｃ  物品収納部
３  操作部
３ａ  カラン操作部
３ｂ  コンロ操作部
３ｃ  収納部開閉用操作部
４  第１発光手段
５  第２発光手段
６  人体検知センサ
７  制御部
【図１】
2011067453.tif 000003
【図２】
2011067453.tif 000004
【図３】
2011067453.tif 000005
【図４】
2011067453.tif 000006
【図５】
2011067453.tif 000007
【図６】
2011067453.tif 000008
【図７】
2011067453.tif 000009